(57)【要約】【課題】ディスクカートリッジを横方向に移動させることなく所定の位置で確実に停止させる。【解決手段】情報記録媒体２を内部に回転自在に収納するディスクカートリッジ１である。前記ディスクカートリッジ１の前端面４を、弧状面１３と、該弧状面１３の両側に連続し、かつカートリッジ挿入方向と直交する方向の第１の平坦面１４と第２の平坦面１５とで構成した。第１の平坦面１４と第２の平坦面１５の少なくとも何れか一方を記録再生装置のカートリッジ位置決め部材の当接面とした。【選択図】  図１
2004158125.tif 000002
【特許請求の範囲】
【請求項１】
情報記録媒体を内部に回転自在に収納するディスクカートリッジにおいて、
前記ディスクカートリッジの前端面は、弧状面と、該弧状面に連続する第１の平坦面と第２の平坦面とを両側に有していることを特徴とするディスクカートリッジ。
【請求項２】
前記第１の平坦面と前記第２の平坦面は、前記ディスクカートリッジの記録再生装置への挿入方向と直交する方向に形成されていて、少なくとも一方が前記記録再生装置に設けられているカートリッジ位置決め部材との当接部になっていることを特徴とする請求項１に記載のディスクカートリッジ。
【請求項３】
前記第１の平坦面と前記第２の平坦面は、挿入方向における前記弧状面の最先端位置からの距離に差異を持たせて形成されていることを特徴とする請求項１に記載のディスクカートリッジ。
【請求項４】
前記第１の平坦面と前記第２の平坦面は、前記挿入方向と直交する方向における長さに差異を持たせて形成されていることを特徴とする請求項１に記載のディスクカートリッジ。
【請求項５】
前記カートリッジ位置決め部材との当接部になっている一方の平坦面側の弧状面に前記記録再生装置の記録再生手段の開口部を有していることを特徴とする請求項２に記載のディスクカートリッジ。
【発明の詳細な説明】
【０００１】
【発明の属する技術分野】
本発明は、記録再生装置への挿入方向の前端面を弧状面に形成したディスクカートリッジに関するものである。
【０００２】
【従来の技術】
情報記録媒体を内部に回転自在に収納するディスクカートリッジとして、図７に示すように、略正方形状をしたディスクカートリッジ１０１が知られている。
この略正方形状をしたディスクカートリッジ１０１は、前後、左右の各端面が平坦面になっているために、ディスクカートリッジ１０１の前後方向を間違えて記録再生装置へ挿入し、これが原因で記録再生装置の磁気ヘッドを破損してしまうというようなトラブルが発生しやすいという問題点があった。
【０００３】
そこで、図８、図９に示すように、前端面１０２、即ち、記録再生装置２０１のカートリッジ挿入部２０２への挿入方向の先端面を弧状面とすることにより、カートリッジ挿入部２０２への挿入方向を判別し易くしたディスクカートリッジ１０３も開発されている。（例えば、特許文献１参照。）。
【０００４】
【特許文献１】
特開平１１−０６４２２５号公報（段落００１５、図１）
【０００５】
【発明が解決しようとする課題】
ところで、特許文献１のディスクカートリッジ１０３は、前端面１０２の全体（幅方向の全域）が円弧面に形成されていて、記録再生装置２０１のカートリッジ挿入部２０２に設けたカートリッジ位置決め部材２０３が当接する部分も円弧面になっているために、次に述べるような問題点があった。
（１）図９に示すように、記録再生装置２０１のカートリッジ挿入部２０２の一側面からカートリッジ位置決め部材２０３をディスクカートリッジ１０３の挿入方向Ａに対して単純に直角に突出させた場合には、図１０に示すように、カートリッジ位置決め部材２０３の先端部２０３ａが前記円弧状の前端面１０２に点接触或いは線接触するために、接触部分が摩耗しやすく、また、傷等が発生しやすい。また、ディスクカートリッジ１０３がカートリッジ位置決め部材２０３に押し付けられたときに発生する分力Ｆでディスクカートリッジ１０３が挿入方向Ａと交叉する方向（以下、横方向と称する）に移動してしまう。
（２）円弧状の前端面１０２にカートリッジ位置決め部材２０３を面接触させるためには、図１１に示すように、カートリッジ位置決め部材２０３をディスクカートリッジ１０３の前端面１０２の曲率に合わせて形成したり、或いはディスクカートリッジ１０３の挿入方向Ａに対して所定の傾斜角度θをもたせた状態で突出させたりしなければならない。
（３）上述のように、カートリッジ位置決め部材２０３をディスクカートリッジ１０３の前端面１０２の曲率に合わせて形成したり、或いはディスクカートリッジ１０３の挿入方向Ａに対して所定の傾斜角度θをもたせて突出させた場合でも、ディスクカートリッジ１０３の横方向への移動を確実に阻止することは難しい。ディスクカートリッジ１０３の横方向への移動を確実に阻止して、ディスクカートリッジ１０３を所定の位置に確実に停止させるためには、図１１、図１２に示すように、記録再生装置２０１の両側面にカートリッジ位置決め部材２０３を設けなければならない。なお、２０５は、記録再生装置２０１の磁気ヘッド装置である。
【０００６】
上述したように、ディスクカートリッジ１０３の前端面１０２を円弧面にした場合に、ディスクカートリッジ１０３を横方向に移動させることなく所定の位置で確実に停止させるためには、カートリッジ位置決め部材２０３をカートリッジ挿入部２０２の両側部に設けなければならないなど、カートリッジ位置決め部材２０３の構造が複雑になるために、この種の前端面１０２を円弧面にしたディスクカートリッジにおいては、特許文献１のような複雑な構成のカートリッジ位置決め部材を使用することなく、単純な構造のカートリッジ位置決め部材で、ディスクカートリッジを横方向に移動させることなく所定の位置で確実に停止させることができるようにすることが課題として残されていた。
【０００７】
本発明の目的は、上記課題を解決し、単純な構造のカートリッジ位置決め部材で、ディスクカートリッジを横方向に移動させることなく所定の位置で確実に停止させることが可能な、前端面が円弧面のディスクカートリッジを提供することにある。
【０００８】
【課題を解決するための手段】
本発明は、情報記録媒体を内部に回転自在に収納するディスクカートリッジにおいて、
前記ディスクカートリッジの前端面を、弧状面と、該弧状面の両側に連続し、かつカートリッジ挿入方向と直交する方向の第１の平坦面と第２の平坦面とで構成し、これら第１の平坦面と第２の平坦面の少なくとも何れか一方をカートリッジ位置決め部材の当接面とすることにより、
前記当接面に、記録再生装置の一側面から略直角（カートリッジ挿入方向と直交する方向）に突出させたカートリッジ位置決め部材を容易に面接触させる構成にした。
【０００９】
【発明の実施の形態】
図１はディスクカートリッジを裏面側から見た斜視図、図２はディスクカートリッジの分解斜視図である。
【００１０】
図１に示すように、ディスクカートリッジ１は、情報記録媒体としてのディスク２と、該ディスク２を回転可能に収納したカートリッジ本体部３と、を備えている。カートリッジ本体部３は、前端面４が略円弧面で、後端面５及び左右の端面６、７が平坦面の偏平な箱形状に形成されている。
【００１１】
カートリッジ本体部３は、底面８に駆動軸挿入用の開口部９を有していて、該駆動軸挿入用の開口部９は、カートリッジ本体部３の底面８にスライド可能に取り付けたシャッター１０で開閉されるようになっている。
【００１２】
また、カートリッジ本体部３は、前端面４にヘッド挿入用の開口部１１を有していて、該ヘッド挿入用の開口部１１は、カートリッジ本体部３内に回転自在に収納されているインナーロータ１２で開閉されるようになっている。
【００１３】
前記カートリッジ本体部３の前端面４は、ディスク２の外径と略同じ曲率の弧状面１３と、該弧状面１３の一端に連続する第１の平坦面１４と、弧状面１３の他端に連続する第２の平坦面１５を両側に有している。
【００１４】
前記第１の平坦面１４と第２の平坦面１５は、後に説明する記録再生装置２０１への挿入方向と直交する方向に形成されていて、少なくとも一方の平坦面が記録再生装置２０１に設けられているカートリッジ位置決め部材２０３との当接部になっている。具体的には、第１の平坦面１４がカートリッジ位置決め部材２０３との当接部になっている。
【００１５】
前記第１の平坦面１４と前記第２の平坦面１５とは、挿入方向における前記弧状面１３の最先端位置Ｐからの距離に差異を持たせて形成されている。具体的には、前記最先端位置Ｐから第１の平坦面１４までの距離Ｌ１は、前記最先端位置Ｐから第２の平坦面１５までの距離Ｌ２よりも大に設定されている。（Ｌ１＞Ｌ２）
また、前記第１の平坦面１４と前記第２の平坦面１５は、前記挿入方向と直交する方向における長さに差異を持たせて形成されている。具体的には、前記第１の平坦面１４の前記挿入方向と直交する方向における長さＬ３は、前記第２の平坦面１５の前記挿入方向と直交する方向における長さＬ４よりも小に設定されている。（Ｌ３＜Ｌ４）
前記ヘッド挿入用の開口部１１は、前記弧状面１３の第１の平坦面１４側（前記最先端位置Ｐと第１の平坦面１４の間）に設けられている。
【００１６】
図２の分解図に示すように、ディスク２は、ディスク本体部２１と、該ディスク本体部２１の中央部に取付けられたハブ２２と、を備えている。ディスク本体部２１は、ハードディスク基板上に磁性層や保護層を積層することにより形成されている。
【００１７】
ディスク本体部２１の中央部には、センタ孔（図示省略）が設けられていて、該センタ孔に前記ハブ２２が取り付けられている。前記ハブ２２は、磁性体で形成されていて、後記する記録再生装置２０１のターンテーブル２０９にマグネットチャッキングされる。
【００１８】
カートリッジ本体部３は、ポリカーボネート（ＰＣ）、アクリルブチレンスチロール（ＡＢＳ）等のプラスチック等の熱可塑性樹脂により射出成形された上ハーフ３１と下ハーフ３２とで構成されている。
【００１９】
上ハーフ３１は、前記前端面４の弧状面１３を構成する弧状面構成壁１３ａと、前記第１の平坦面１４を構成する第１の平坦面構成壁１４ａと、前記第２の平坦面１５を構成する第２の平坦面構成壁１５ａと、を備えていて、前記弧状面構成壁１３ａには、前記ヘッド挿入用の開口部１１を構成する切欠部１１ａが設けられている。
【００２０】
上ハーフ３１は、前記後端面５を構成する後端面構成壁５ａ及び前記左右の端面６，７を構成する左右の端面構成壁６ａ，７ａを備えていて、これら後端面構成壁５ａ及び左右の端面構成壁６ａ，７ａの内側には、前記円弧状の前端面４と一緒に円形状のインナーロータ収納部３３を構成する略円弧状の内壁３４を備えている。
【００２１】
前記第２の平坦面構成壁１５ａの内側には、ネジ止め用のボス部３５が設けられている。
【００２２】
前記インナーロータ収納部３３内には、ディスク２を回転自在に収納したインナーロータ１２が回転自在に収納される。
【００２３】
下ハーフ３２は、前記上ハーフ３１の弧状面構成壁１３ａと一緒に前記弧状面１３を構成する弧状面構成壁１３ｂと、前記上ハーフ３１の第１の平坦面構成壁１４ａと一緒に前記第１の平坦面１４を構成する平坦面構成壁１４ｂと、第２の平坦面構成壁１５ａと一緒に前記第２の平坦面１５を構成する平坦面構成壁１５ｂと、を備えていて、前記弧状面構成壁１３ｂには、前記上ハーフ３１の切欠部１１ａと一緒に前記ヘッド挿入用の開口部１１を構成する切欠部１１ｂが設けられている。
【００２４】
下ハーフ３２は、前記上ハーフ３１の後端面構成壁５ａと一緒に前記後端面５を構成する後端面構成壁５ｂ及び前記上ハーフ３１の左右の端面構成壁６ａ，７ａと一緒に前記左右の端面６，７を構成する左右の端面構成壁６ｂ，７ｂを備えている。
【００２５】
下ハーフ３２は、外面にシャッタ１０のスライド範囲を規定するシャッタ落とし込み用の凹部３６を備えている。
【００２６】
前記上ハーフ３１と下ハーフ３２は、互いの弧状面構成壁等を突き合わせてネジ３７等により前記ボス部３５等で結合されてカートリッジ本体部３を構成する。
【００２７】
シャッター１０は、ステンレススチールやアルミニューム等の肉厚０．１〜０．５ｍｍ程度の薄板を矩形状に打ち抜くことにより形成されている。シャッター１０は、長手方向の一端部にスライダー取付部１０ａを備えていて、該スライダー取付部１０ａに取り付けたスライダー４１を介してカートリッジ本体部３に組付けられる。
【００２８】
前記スライダー４１は、一側面にギヤ４２を有するラック状に作られていて、他側面にピン状の一対の突起４３を備えている。そして、前記一対の突起４３を前記シャッター１０のスライダー取付部１０ａに設けた一対のピン挿入孔１０ｂに挿入して、前記突起４３の先端部をカシメて拡径させることによりシャッター１０のスライダー取付部１０ａに取り付けられる。
【００２９】
前記スライダー４１は、前記シャッター１０を前記下ハーフ３２のシャッタ落とし込み用の凹部３６内に重ね合わせた状態で、上ハーフ３１と下ハーフ３２の間に挟まれ、且つ前記ギヤ４２をインナーロータ収納部３３内に臨ませた状態で、前記一方の端面７に沿ってスライド可能に取り付けられていて、前記シャッター１０を駆動軸挿入用の開口部９を閉塞する位置と、開放する位置との間で移動させるようになっている。前記シャッター１０は、図示を省略したシャタースプリングのバネ力によって駆動軸挿入用の開口部９を閉塞する位置にセットされている。
【００３０】
前記インナーロータ１２は、円板状の基板１２ａと、該基板１２ａの周縁部に立設された円筒状の周壁１２ｂと、を備えていて、該周壁１２ｂ内にディスク２を回転自在に収納するようになっている。
【００３１】
前記インナーロータ１２は、前記インナーロータ収納部３３に回転自在に収納されていて、周壁１２ｂで前記ヘッド挿入用の開口部１１をカートリッジ本体部３の内側から塞ぐようになっている。
【００３２】
前記インナーロータ１２の周壁１２ｂの一部には、切欠部１２ｃが設けられていて、該切欠部１２ｃを前記ヘッド挿入用の開口部１１と重ね合せることにより、該ヘッド挿入用の開口部１１を開放するようになっている。
【００３３】
前記インナーロータ１２は、周壁１２ｂの外周面に前記スライダー４１のギヤ４２と噛合するギヤ１２ｄを備えていて、シャッター１０のスライドに連動して回動するようになっている。
【００３４】
前記インナーロータ１２は、シャッター１０が前記駆動軸挿入用の開口部９を閉塞する位置にあるときには、前記周壁１２ｂで前記ヘッド挿入用の開口部１１を閉塞し、シャッター１０が前記駆動軸挿入用の開口部９を閉塞する位置にスライドしてきたときに、前記周壁１２ｂの切欠部１２ｃがヘッド挿入用の開口部１１と重なり合って、該ヘッド挿入用の開口部１１を開放するようになっている。
【００３５】
前記ディスクカートリッジ１は、記録再生装置に装填されてディスク２への記録再生が行われる。
【００３６】
図３に示すように、記録再生装置２０１は、ディスクカートリッジ１を挿入するカートリッジ挿入部２０２を備えている。カートリッジ挿入部２０２は、一側部に前記ディスクカートリッジ１の第１の平坦面１４に当接するカートリッジ位置決め部材２０３を備えている。
【００３７】
カートリッジ位置決め部材２０３は、ディスクカートリッジ１の挿入方向と直交する方向に略直角三形状の突起を突出させることにより形成されていて、ディスクカートリッジ１が所定の位置まで侵入してきたとき、前記第１の平坦面１４に面接触してディスクカートリッジ１の更なる侵入を阻止して、ディスクカートリッジ１の位置決めを行なうようになっている。
【００３８】
カートリッジ挿入部２０２は、他側部に前記スライダー４１又はシャッター１０の一端部に当接して前記スライダー４１及びシャッター１０を前記駆動軸挿入用の開口部９を開放する方向にスライドさせるシャッター開放部材２０４を備えている。
【００３９】
また、カートリッジ挿入部２０２は、奥端側に磁気ヘッド装置２０５を備えている。磁気ヘッド装置２０５は、軸２０６を中心にして回動する回動アーム２０７の先端部に磁気ヘッド２０８を設けることにより構成されていて、前記磁気ヘッド２０８を前記ヘッド挿入用の開口部１１からディスクカートリッジ１内に挿入してディスク２の記録再生を行なうようになっている。
【００４０】
また、カートリッジ挿入部２０２は、開口端（ディスク挿入端）側には、挿入されたディスクカートリッジ１の端部を検出するフォトセンサ２１０を備えている。前記フォトセンサ２１０は、フォトセンサ２１０を挟んで上下対向位置に、発光部と受光部を配置することにより構成されている。
【００４１】
次に、前記ディスクカートリッジ１及び記録再生装置２０１の作用について説明する。
【００４２】
図３に示すように、ディスクカートリッジ１を正規の姿勢で記録再生装置２０１のカートリッジ挿入部２０２に挿入すると、シャッター開放部材２０４で押圧されてシャッター１０とスライダー４１が同時にスライドする。そして、シャッター１０が駆動軸挿入用の開口部９を開放すると共に、スライダー４１のスライドによりインナーロータ１２が回転して前記周壁１２ｂに設けた切欠部１２ｃがヘッド挿入用の開口部１１と重なり合って、該ヘッド挿入用の開口部１１を開放する。
【００４３】
前記駆動軸挿入用の開口部９及びヘッド挿入用の開口部１１が完全に開放される位置までディスクカートリッジ１が挿入されると、図４に示すように、ディスクカートリッジ１の第１の平坦面１４がカートリッジ位置決め部材２０３に面接触してディスクカートリッジ１の更なる侵入を阻止して、ディスクカートリッジ１の位置決めを行なう。
【００４４】
このとき、ディスクカートリッジ１の後端部１ａは、フォトセンサ２１０の位置よりもカートリッジ挿入部２０２の内側に位置して、前記フォトセンサ２１０の発光部と受光部の間を遮ることはない。従って、前記発光部から発射された検出光は、受光部に到達して、フォトセンサ２１０によりディスクカートリッジ１が正規の位置まで挿入されたことが検出される。
【００４５】
前記ディスクカートリッジ１が正規の位置まで挿入され、かつ前記駆動軸挿入用の開口部９及びヘッド挿入用の開口部１１が開放されたことが検出されると、記録再生装置２０１のターンテーブル２０９が前記駆動軸挿入用の開口部９からディスクカートリッジ１内に導入され、ターンテーブル２０９にディスク２のハブがマグネットチャキングされると共に、ヘッド挿入用の開口部１１から前記磁気ヘッド２０８がディスクカートリッジ１内に導入されてディスク２への記録再生が可能な状態になる。
【００４６】
図５に示すように、ディスクカートリッジ１を裏返した状態で、記録再生装置２０１のカートリッジ挿入部２０２に挿入した場合には、ディスクカートリッジ１の第２の平坦面１５がカートリッジ位置決め部材２０３に面接触してディスクカートリッジ１の更なる侵入を阻止する。この場合は、前記ディスクカートリッジ１の後端部１ａが、フォトセンサ２１０の発光部と受光部との間を遮断するので、発光部から発射された検出光は、受光部に到達せず、ディスクカートリッジ１が正規の位置まで挿入されていないことが検出されて、磁気ヘッド２０８の回転は阻止され、磁気ヘッド２０８等を保護する。
【００４７】
また、図６に示すように、ディスクカートリッジ１を前後を逆にした状態で、記録再生装置２０１のカートリッジ挿入部２０２に挿入した場合には、ディスクカートリッジ１の後端部１ａがカートリッジ位置決め部材２０３に面接触してディスクカートリッジ１の更なる侵入を阻止する。この場合には、前記ディスクカートリッジ１の前端面４側が、フォトセンサ２１０の発光部と受光部との間を遮断するので、発光部から発射された検出光は、受光部に到達せず、ディスクカートリッジ１が正規の位置まで挿入されていないことが検出されて、磁気ヘッド２０８の回転は阻止され、磁気ヘッド２０８等を保護する。
【００４８】
【発明の効果】
本発明のディスクカートリッジには次に述べるような効果がある。
（１）請求項１のディスクカートリッジは、前端面を、弧状面と、該弧状面に両端部に連続する第１の平坦面と第２の平坦面とで、構成し、第１の平坦面及び／又は第２の平坦面に、記録再生装置に設けたカートリッジ位置決め部材を当接させる構成にしたので、カートリッジ位置決め部材をディスクカートリッジの前端面の曲率に合わせて形成したり、或いはディスクカートリッジの挿入方向に対して所定の傾斜角度をもたせて突出させなくても、前記第１の平坦面及び／又は第２の平坦面にカートリッジ位置決め部材を容易に面接触させることができる。
（２）請求項２のディスクカートリッジは、前記第１の平坦面及び／又は前記第２の平坦面を、前記ディスクカートリッジの記録再生装置への挿入方向と直交する方向に形成したので、前記第１の平坦面及び／又は第２の平坦面にカートリッジ位置決め部材を当接させた際に、前記ディスクカートリッジに横ずれ方向の力が発生するのを防止することができる。
（３）請求項３のディスクカートリッジは、前記第１の平坦面と前記第２の平坦面とに、挿入方向における前記弧状面の最先端位置からの距離に差異を持たせたので、ディスクカートリッジが正規に挿入されたか否かをディスクカートリッジの後端部の位置で判別することが可能になる。
（４）請求項４のディスクカートリッジは、前記第１の平坦面と前記第２の平坦面は、前記挿入方向と直交する方向における長さに差異を持たせたので、短い方の平坦面の内側のスペースよりも長い方の平坦面の内側のスペースが大になり、該部に上、下ハーフの結合用のボス部等を設けることが容易になる。
（５）請求項５のディスクカートリッジは、前記カートリッジ位置決め部材との当接部になっている一方の平坦面側の弧状面に前記記録再生装置の記録再生手段の開口部を設け、カートリッジ位置決め部材と、前記記録再生手段の開口部の位置を近づけたので、一方の平坦面と記録再生手段の開口部との間で位置ズレが発生するのを防止することができる。
【図面の簡単な説明】
【図１】ディスクカートリッジを底面側から見た斜視図。
【図２】ディスクカートリッジの分解斜視図。
【図３】ディスクカートリッジと記録再生装置の略示的平面図。
【図４】ディスクカートリッジを正規に挿入した状態の平面図。
【図５】ディスクカートリッジを裏返して挿入した状態の平面図。
【図６】ディスクカートリッジを前後逆にして挿入した状態の平面図。
【図７】他の従来例の斜視図。
【図８】他の従来例の斜視図。
【図９】従来例の問題点を示す説明図。
【図１０】従来例の問題点を示す説明図。
【図１１】従来例の問題点を示す説明図。
【図１２】従来例の問題点を示す説明図。
【符号の説明】
１…ディスクカートリッジ、２…ディスク、３…カートリッジ本体部、４…前端面、５…後端面、６，７…左右の端面、８…底面、９…駆動軸挿入用の開口部、１０…シャッター、１１…ヘッド挿入用の開口部、１２…インナーロータ、１３…弧状面、１４…第１の平坦面、１５…第１の平坦面、２０１…記録再生装置、２０２…ディスク挿入部、２０３…カートリッジ位置決め部材。
【図１】
2004158125.tif 000003
【図２】
2004158125.tif 000004
【図３】
2004158125.tif 000005
【図４】
2004158125.tif 000006
【図５】
2004158125.tif 000007
【図６】
2004158125.tif 000008
【図７】
2004158125.tif 000009
【図８】
2004158125.tif 000010
【図９】
2004158125.tif 000011
【図１０】
2004158125.tif 000012
【図１１】
2004158125.tif 000013
【図１２】
2004158125.tif 000014